(57)【要約】【課題】封印の容易化と安全性の向上とを図る。【解決手段】結束バンド６がバンド挿入部２８；２７；１６；１７；３７；２９を順に経由して内部に回路基板３を装着したケースベース１とケースカバー２とからなる収納箱に外側から巻き付けられ、互いに重ね合わされた結束バンド６の一端部と他端部とが封印具７のバンド通し孔４１に挿入され、封印工具で封印具７を挟み付けることによって、封印工具からの加熱と加圧を受けて窪んだ封印部４３が封印具７に形成され、結束バンド６がＩＣタグ４２を有する封印具７によって開放不能に封印されている。【選択図】図１
2006130156.tif 000002
【特許請求の範囲】
【請求項１】
ケースベースとケースカバーとからなる収納箱の内部に回路基板を装着した遊技機の回路基板収納箱において、結束バンドがケースベースとケースカバーとからなる収納箱に外側から巻き付けられ、この巻き付けられた結束バンドの端部がＩＣタグの埋め込まれた封印具によって開放不能に封印されたことを特徴とする遊技機の回路基板収納箱。
【請求項２】
ＩＣタグがＩＤコードを書き替え不能に書き込まれたＩＣチップの中にアンテナを内蔵した構造であることを特徴とする請求項１記載の遊技機の回路基板収納箱。
【請求項３】
ケースベースとケースカバーおよび回路基板にバンド挿入部が設けられ、これらのバンド挿入部に結束バンドを通した構造であることを特徴とする請求項１記載の遊技機の回路基板収納箱。
【発明の詳細な説明】
【技術分野】
【０００１】
本発明は、封印が容易で安全性が高い遊技機の回路基板収納箱に関する。
【背景技術】
【０００２】
遊技機の回路基板収納箱は、回路を構成する電気部品の実装された回路基板が収納箱の一方を形成するケースベースの上に配置され、収納箱の他方を形成するケースカバーが回路基板における外部から接続または操作の必要な電気部品を除いた電気部品を覆うように被せられ、ケースベースと回路基板およびケースカバーが止ねじで締結され、ケースベースに設けられた封印部とケースカバーに設けられた封印部とが互いにかしめ付けられることによって、ケースベースとケースカバーとを封印して、心無い人による不正行為から保護されている。しかしながら、心無い人が、互いにかしめ付けられた封印部を破壊し、回路基板に実装された電気部品の１つであるＲＯＭを不正ＲＯＭに交換した後、ケースベースとケースカバーとを新しいものに交換し、ケースベースに設けられた封印部とケースカバーに設けられた封印部とを互いにかしめ付けた場合、遊技店の店員や検査を行う人が、不正ＲＯＭに交換された回路基板収納箱を確認しても、不正行為が行われたか否かを容易に発見できないという欠点があった。また、ケースカバーにＩＤコードのような識別情報の書き込まれたＩＣチップを埋め込むことも公知であるが、ケースベースとケースカバーとを開ける場合、破壊しなければならない封印部がケースベースとケースカバーとに設けられていないので、ケースベースとケースカバーとを開けて、ＲＯＭを不正ＲＯＭに交換した後、ケースベースとケースカバーとを元どおりに閉じておけば、遊技店の店員や検査を行う人が、不正ＲＯＭに交換された回路基板収納箱を確認しても、不正行為が行われたか否かを容易に発見できないという欠点があった。
【特許文献１】特開平９−２３４２８１号公報
【特許文献２】特開平１１−２６２５７１号公報
【発明の開示】
【発明が解決しようとする課題】
【０００３】
発明が解決しようとする問題点は、不正行為が行われたか否かを容易に発見できないという点である。
【課題を解決するための手段】
【０００４】
本発明に係る遊技機の回路基板収納箱は、ケースベースとケースカバーとからなる収納箱の内部に回路基板を装着した遊技機の回路基板収納箱において、結束バンドがケースベースとケースカバーとからなる収納箱に外側から巻き付けられ、この巻き付けられた結束バンドの端部がＩＣタグの埋め込まれた封印具によって開放不能に封印されたことを最も主要な特徴とする。本発明に係る遊技機の回路基板収納箱において、ＩＣタグがＩＤコードを書き替え不能に書き込まれたＩＣチップの中にアンテナを内蔵した構造であったり、ケースベースとケースカバーおよび回路基板にバンド挿入部が設けられ、これらのバンド挿入部に結束バンドを通した構造であったりしてもよい。
【発明の効果】
【０００５】
本発明に係る遊技機の回路基板収納箱は、結束バンドまたは封印具を切断しなければ、収納箱を開放することができないので、結束バンドまたは封印具を切断した場合、切断された結束バンドまたは封印具を使用して収納箱を元どおりに封印することができない。しかも、新しい結束バンドと新しい封印具を使用して収納箱を元どおりに封印しても、切断された封印具のＩＣタグを備えているので、遊技店の店員や検査を行う人が、ＩＣタグのＩＤコードを読み出す読取器を、収納箱を封印している封印具に近づけてＩＣタグのＩＤコードを読み出すことによって、封印具が不正に交換されたものであるか正規のものであるかを確認することができるという利点がある。ＩＣタグがＩＤコードを書き替え不能に書き込まれたＩＣチップの中にアンテナを内蔵した構造であれば、不正を行う人が、ＩＤコードを書き替えることができないので、安全性が一層高くなるという利点がある。ケースベースとケースカバーおよび回路基板にバンド挿入部が設けられ、これらのバンド挿入部に結束バンドを通した構造であれば、収納箱に巻き付けた結束バンドが、収納箱からずらされて取り外されることがなく、安全性が一層高くなるという利点がある。
【発明を実施するための最良の形態】
【０００６】
図１乃至図７は、発明を実施するための最良の形態である。図１は、遊技機の回路基板収納箱を分解して示す。図２乃至図６は、収納箱を封印する工程を示す。図７は、封印された遊技機の回路基板収納箱を示す。
【０００７】
図１を参照し、遊技機の回路基板収納箱の構造について説明する。回路基板収納箱は、収納箱の一方を形成するケースベース１、収納箱の他方を形成するケースカバー２、方形な回路基板３、止ねじ４；５、結束バンド６、封印具７、軸８、止輪９を備える。ケースベース１は、光を透過する性質の有る無色の合成樹脂により、ベース基板１１、周壁１２、支持台１３、ねじ取付孔１４、ベース側係合部１５、バンド挿入部１６；１７、突壁４０を備えた、一体の形状に形成された構造である。ベース基板１１は、回路基板３より大きな方形である。周壁１２は、ベース基板１１の周縁からケースカバー２と向き合う方向にベース基板１１の板面の１つである表面と直角となるように突出し、互いに、ベース基板１１の周方向で連接され、ケースカバー２と向き合う方向から見た場合に、方形な環状である。周壁１２で囲まれた方形な開口は、回路基板３より大きな方形である。周壁１２には、突壁４０が、ベース側係合部１５の側に位置して形成される。ケースベース１とケースカバー２とが回転可能に連結され、ケースカバー２が閉じられる場合、突壁４０が、ケースカバー２の逃部３９よりも膨出部２４の内部に入って周壁２２と対向する。突壁４０と対向する周壁２２は、ベース側係合部１５が設けられた部分における周壁２２である。突壁４０と周壁２２とが対向する方向は、ベース基板１１の表面と平行な方向である。
【０００８】
支持台１３は、ベース基板１１の四隅にケースカバー２と向き合う方向に個別に突出する。支持台１３におけるケースカバー２と向き合う方向に位置する上面は、ベース基板１１の表面と平行な１つの平面内に位置する。支持台１３の上面とベース基板１１の表面との間の寸法である高さは、周壁１２におけるベース基板１１の表面からの高さよりも低いので、回路基板３の四隅が支持台１３の上面に個別に載せられた場合、回路基板３の周縁における端面が、周壁１２に、ベース基板１１の表面と平行な方向で対向するように、回路基板３が周壁１２で囲まれた方形の開口の内部に収納される。ねじ取付孔１４は、止ねじ４；５のねじ部を締結するために、支持台１３の上面から内部に窪む、行き止まり孔として形成され、回路基板３の四隅が支持台１３の上面に個別に載せられた場合、回路基板３のねじ挿入孔３６と個別に位置が合う。
【０００９】
ベース側係合部１５は、ケースカバー２を開閉可能に支持するために、回路基板３におけるコネクタ３４の実装された側と対向する側とを結ぶ方向において、回路基板３におけるコネクタ３４の実装された側の反対側に位置し、回路基板３におけるコネクタ３４の実装された側と対向する側とを結ぶ方向と直交する方向に分かれた一対として、周壁１２に設けられ、周壁１２から外側に突出し、回路基板３におけるコネクタ３４の実装された側と対向する側と結ぶ方向と直交する方向への貫通孔としての支持孔１８を有する筒状である。バンド挿入部１６；１７は、結束バンド６をケースベース１に位置ずれしないように巻き付けるために、周壁１２とベース基板１１とに設けられる。周壁１２に設けられたバンド挿入部１６は、一対のベース側係合部１５の間で、回路基板３におけるコネクタ３４の実装された側と対向する側と結ぶ方向と直交する方向の中央に位置し、周壁１２から外側に突出する。バンド挿入部１６には、結束バンド６を上下方向に貫通させるバンド通し孔１９が形成される。ベース基板１１に設けられたバンド挿入部１７は、回路基板３におけるコネクタ３４の実装された側で、左右方向の中央に位置し、結束バンド６を上下方向に貫通させるバンド通し孔として形成される。
【００１０】
ケースカバー２は、光を透過する性質の有る無色の合成樹脂により、カバー基板２１、周壁２２、ねじ挿入孔２３、膨出部２４、部品挿入孔２５、カバー側係合部２６、バンド挿入部２７；２８；２９を備えた、一体の形状に形成された構造である。カバー基板２１は、ベース基板１１よりも大きな方形である。周壁２２は、カバー基板２１の周縁からケースベース１と向き合う方向にカバー基板２１の板面の１つである表面と直角となるように突出し、互いに、カバー基板２１の周方向で連接され、ケースベース１と向き合う方向から見た場合に、方形な環状である。周壁２２で囲まれた方形な開口は、ケースベース１の周壁１２における外周より大きな方形である。ねじ挿入孔２３は、止ねじ５のねじ部を挿入するために、回路基板３におけるコネクタ３４の実装された側に位置し、カバー基板２１に、カバー基板２１の表面と裏面とへの貫通孔として形成される。カバー基板２１の裏面は、ベース基板１１の表面と向き合う面である。周壁２２には、逃部３９が、カバー側係合部２６の側に位置して形成される。ケースベース１とケースカバー２とが回転可能に連結され、ケースカバー２が開かれる場合、逃部３９が、ケースベース１の突壁４０に接触しないように突壁４０を逃げる。
【００１１】
膨出部２４は、カバー基板２１の裏面から表面の側に突出し、ケースベース１の側に開口した内部空間を形成する。膨出部２４における内部空間は、ケースカバー２がケースベース１に被せられた場合、回路基板３におけるコネクタ３４以外の電気部品３５を覆う空間である。部品挿入孔２５は、ケースカバー２がケースベース１に被せられた場合、回路基板３におけるコネクタ３４をケースカバー２から外部に突出するための開口であって、複数のコネクタ３４の全部を１つの部品挿入孔２５から突出する形態でもよいが、結束バンド６をケースベース１とケースカバー２とに巻き付けた場合、複数のコネクタ３４が結束バンド６の両側に分かれることから、バンド挿入部２９と対応する位置の隔壁３８で２つに仕切られており、結束バンド６の両側に分かれる複数のコネクタ３４を１つの部品挿入孔２５から外部に突出するように、回路基板３におけるコネクタ３４の実装された側に位置し、カバー基板２１の一側部にカバー基板２１の表面と裏面とへの貫通孔として設けられ、カバー基板２１の一側部に沿う細長い方形である。
【００１２】
カバー側係合部２６は、ケースベース１を開閉可能に支持するために、回路基板３におけるコネクタ３４の実装された側と対向する側と結ぶ方向において、回路基板３におけるコネクタ３４の実装された側の反対側に位置し、回路基板３におけるコネクタ３４の実装された側と対向する側と結ぶ方向と直交する方向に分かれた一対として、周壁２２に設けられ、周壁２２から外側に突出し、回路基板３におけるコネクタ３４の実装された側と対向する側とを結ぶ方向と直交する方向への貫通孔としての支持孔３０を有する筒状であって、１つのベース側係合部１５に対し回路基板３におけるコネクタ３４の実装された側と対向する側と結ぶ方向と直交する方向の両側に位置する。つまり、カバー側係合部２６がベース側係合部１５に組み合わせられる場合、１組のカバー側係合部２６が１つのベース側係合部１５を回路基板３におけるコネクタ３４の実装された側と対向する側と結ぶ方向と直交する方向で挟む格好である。
【００１３】
バンド挿入部２７；２８；２９は、結束バンド６をケースカバー２に位置ずれしないように巻き付けるために、膨出部２４とカバー基板２１とに設けられる。膨出部２４に設けられたバンド挿入部２７；２８は、カバー側係合部２６の側と部品挿入孔２５の側とに分かれて設けられる。カバー側係合部２６の側に設けられたバンド挿入部２７は、回路基板３におけるコネクタ３４の実装された側と対向する側と結ぶ方向と直交する方向の中央に位置し、膨出部２４から外側に突出する。部品挿入孔２５の側に設けられたバンド挿入部２８は、回路基板３におけるコネクタ３４の実装された側と対向する側と結ぶ方向と直交する方向の中央に位置し、膨出部２４におけるカバー基板２１の側に近い側の下部から外側に突出する。膨出部２４に設けられたバンド挿入部２７；２８には、結束バンド６を上下方向に貫通させるバンド通し孔３１；３２が個別に形成される。カバー基板２１に設けられたバンド挿入部２９は、部品挿入孔２５と膨出部２４との間で、左右方向の中央に位置し、結束バンド６を上下方向に貫通させるバンド通し孔として形成される。
【００１４】
回路基板３に実装される電気部品のうちで外部から接続または操作の必要な電気部品として複数のコネクタ３４が回路基板３の一側部に実装され、複数のコネクタ３４以外の、ＣＰＵ、ＲＯＭ、ＲＡＭ、入力インターフェース、出力インターフェース、抵抗器、コンデンサなどの種々の電気部品３５が回路基板３における上記一側部以外の部分に実装される。回路基板３の四隅には、ねじ挿入孔３６が、回路基板３の表面と裏面とへの貫通孔として形成される。回路基板３には、バンド挿入部３７が、コネクタ３４とコネクタ３４以外の電気部品３５との間に位置し、結束バンド６を上下方向に貫通させるバンド通し孔として形成される。止ねじ４は、ケースベース１と回路基板３とを互いに結合するために使用される。止ねじ５は、ケースベース１とケースカバー２と回路基板３とを互いに結合するために使用される。止ねじ４；５は、タッピングスクリューにより形成される。
【００１５】
結束バンド６は、可撓性の有る合成樹脂により、紐状または帯状に形成され、ケースカバー２がケースベース１に被せられた収納箱に外側から巻き付けられるのに必要かつ十分な長さを有する。封印具７は、熱可塑性の有る合成樹脂により、バンド通し孔４１を一端面と他端面とへの貫通孔として備えた筒状に形成される。封印具７には、ＩＣタグ４２が、封印具７を人が見た場合に認識できないように、かつ、封印具７の封印部４３を避けた位置に、埋め込まれる。ＩＣタグ４２としては、０．４×０．４ｍｍ２の方形なＩＣチップの中にアンテナを内蔵した株式会社日立製作所製のミューチップが用いられる。ＩＣチップには、ＩＣチップの製造段階で、１２８ビットのＩＤコードが書き替え不能に書き込まれている。ＩＣタグ４２は、ＲＦＩＤ（Ｒａｄｉｏ  Ｆｒｅｑｕｅｎｃｙ  Ｉｄｅｎｔｉｆｉｃａｔｉｏｎ）に使用するデバイスであって、ＩＣチップとアンテナとからなる構造の荷札である。ＲＦＩＤは、電波を用いてデータの読み出しを行い、非接触で対象物を自動認識する技術である。
【００１６】
軸８は、ベース側係合部１５とカバー側係合部２６とを互いに回転可能に連結するものであって、ベース側係合部１５の支持孔１８とカバー側係合部２６の支持孔３０とに挿入する棒の一端部に棒の外径よりも大きな外径で設けられた頭部４５と、棒の他端部に棒の外周面から内部に窪む環状に設けられた溝４６とを備える。頭部４５と溝４６との間における棒の長さは、ベース側係合部１５とカバー側係合部２６とが互いに組み合わされた左右方向の長さよりも長い。止輪９は、軸８の溝４６に嵌め込まれることによって、軸８がベース側係合部１５とカバー側係合部２６とから脱落するのを防止するものである。
【００１７】
図１乃至図７を参照し、回路基板収納箱の組み立て方について説明する。先ず、図１において、ケースベース１の周壁１２で囲まれた開口とケースカバー２の周壁２２で囲まれた開口とが互いに向き合わされ、ベース側係合部１５とカバー側係合部２６とが互いに組み合わされ、ベース側係合部１５の支持孔１８とカバー側係合部２６の支持孔３０とが互いに同軸状に合わされる。そして、軸８における溝４６の形成された側の他端部が、一方のカバー側係合部２６の支持孔３０からベース側係合部１５の支持孔１８を経由して他方のカバー側係合部２６の支持孔３０に挿入され、軸８の頭部４５が一方のカバー側係合部２６に接触し、軸８の溝４６が他方のカバー側係合部２６より突出した状態において、止輪９が軸８の溝４６に装着される。この軸８の装着および止輪９の装着は、一対のベース側係合部１５と一対のカバー側係合部２６とに対し、個別に行われる。
【００１８】
これによって、ケースベース１とケースカバー２とが、互いに、ベース側係合部１５とカバー側係合部２６とを連結した軸８を中心とし、開閉可能に連結される。その後、ケースカバー２が開放された状態において、回路基板３に実装されたコネクタ３４やコネクタ３４以外の電気部品３５を上方に向け、回路基板３がケースベース１の上方から開口に入れられて、回路基板３の四隅が支持台１３の上に搭載され、２本の止ねじ４が回路基板３の上方から回路基板３における軸８の側に位置するねじ挿入孔３６を経由してケースベース１のねじ取付孔１４に個別に締結される。さらに、ケースカバー２がベース側係合部１５とカバー側係合部２６と軸８とからなるヒンジを中心として閉じられるのに伴い、回路基板３におけるコネクタ３４が部品挿入孔２５を経由してケースカバー２から上方の外側に突出し、回路基板３におけるコネクタ３４以外の電気部品３５が膨出部２４で覆い隠される。その状態において、上記と別の２本の止ねじ５がケースカバー２の上部からケースカバー２、ねじ挿入孔２３および回路基板３のコネクタ３４の側に位置するねじ挿入孔３６を経由してケースベース１のねじ取付孔１４に個別に締結される。これによって、ケースベース１とケースカバー２とからなる収納箱が内部に回路基板３を格納した状態で、止ねじ５、ベース側係合部１５とカバー側係合部２６と軸８とからなるヒンジによって、閉じられた状態に組み立てられる。
【００１９】
次に、図２に示すように、結束バンド６の一端部が、ケースカバー２における部品挿入孔２５の側に位置するバンド挿入部２８のカバー基板２１の側における下部からバンド通し孔３２に挿入されてバンド挿入部２８の上部に引き出され、この引き出された結束バンド６の一端部が、ケースカバー２におけるヒンジの側に位置するバンド挿入部２７の上部からバンド通し孔３１に挿入されてバンド挿入部２７の下部に引き出され、この引き出された結束バンド６の一端部が、ケースベース１におけるヒンジの側に位置するバンド挿入部１６の上部からバンド通し孔１９に挿入されてバンド挿入部１６の下部に引き出され、この引き出された結束バンド６の一端部が、ケースベース１の下部からケースベース１のバンド挿入部１７と回路基板３のバンド挿入部３７およびケースカバー２のバンド挿入部２９に順に挿入されてケースカバー２におけるカバー基板２１の上部に引き出される。
【００２０】
つまり、図３に示すように、結束バンド６が、バンド挿入部２８；２７；１６；１７；３７；２９を順に経由し、ケースベース１とケースカバー２とからなる収納箱に外側から巻き付けられる。これによって、結束バンド６の一端部が、バンド挿入部２９の上部からカバー基板２１の表面の上に存在し、結束バンド６の他端部が、バンド挿入部２８の下部からカバー基板２１の表面の上に存在する。
【００２１】
その状態において、図４に示すように、結束バンド６の一端部と他端部とが互いに重ね合わされ、この互いに重ね合わされた結束バンド６の一端部と他端部とが封印具７のバンド通し孔４１に挿入された後、封印具７より突出した互いに重ね合わされた結束バンド６の一端部と他端部とが人によって支持され、封印具７が人によってケースカバー２における膨出部２４の側に近づけられ、ケースベース１とケースカバー２とからなる収納箱に外側から巻き付けられた結束バンド６がケースベース１とケースカバー２とに接触するように、ケースベース１とケースカバー２とからなる収納箱に外側から巻き付けられた結束バンド６の弛みが除去される。
【００２２】
その後、図５に示すように、ケースベース１とケースカバー２とからなる収納箱に外側から巻き付けられた結束バンド６の弛みが除去された状態において、封印工具の一対のアーム４８で封印具７を挟み付ける。封印工具の一対のアーム４８は、アーム４８に付設された図外のニクロム線のような電気ヒータによって、封印具７の一部を半溶融状態に溶かすが、ＩＣタグ４２を熱劣化させない温度に加熱されている。したがって、封印工具の一対のアーム４８が封印具７を挟み付けることによって、図６に示すように、封印具７におけるＩＣタグ４２の存在しない部分が外側から内部に加熱と加圧を受けて窪んだ封印部４３として形成され、封印具７が互いに重ね合わされた結束バンド６の一端部と他端部とを互いに離れないように結束バンド６の一端部と他端部とに結合されて封印する。よって、図７に示すように、内部に回路基板３を装着したケースベース１とケースカバー２とからなる収納箱に外側から巻き付けられた結束バンド６が、ＩＣタグ４２を有する封印具７によって、開放不能に封印される。
【００２３】
図７に示すように、内部に回路基板３を装着したケースベース１とケースカバー２とからなる収納箱に外側から巻き付けられた結束バンド６が、ＩＣタグ４２を有する封印具７によって開放不能に封印された構造であるので、止輪９が取り外されるとともに軸８がベース側係合部１５とカバー側係合部２６とから抜き取れたとしても、結束バンド６または封印具７を切断しなければ、収納箱を開放することができない。そして、結束バンド６または封印具７を切断した場合、切断された結束バンド６または切断された封印具７を使用して収納箱を元どおりに封印することができない。しかも、新しい結束バンド６と新しい封印具７を使用して収納箱を元どおりに封印しても、切断された封印具７がＩＣタグ４２を備えているので、遊技店の店員や検査を行う人が、ＩＣタグ４２のＩＤコードを読み出す読取器を、収納箱を封印している封印具７に近づけてＩＣタグ４２のＩＤコードを読み出すことによって、封印具７が不正に交換されたものであるか正規のものであるかを確認することができる。よって、遊技店の店員や検査を行う人が、回路基板収納箱に不正行為が行われたか否かを容易に発見することができ、封印が容易で安全性が高い遊技機の回路基板収納箱を提供することができるという利点がある。ＩＣタグ４２がＩＤコードを書き替え不能に書き込まれたＩＣチップの中にアンテナを内蔵した構造であるので、不正を行う人が、ＩＤコードを書き替えることができないので、安全性が一層高くなるという利点がある。ケースベース１とケースカバー２および回路基板３にバンド挿入部１６；１７；２７；２８；２９；３７が設けられ、これらのバンド挿入部１６；１７；２７；２８；２９；３７に結束バンド６を通した構造であるので、収納箱に巻き付けた結束バンド６が、収納箱からずらされて取り外されることがなく、安全性が一層高くなるという利点がある。また、ケースベース１とケースカバー２とが互いに被せ合わせられた場合、ケースベース１の周壁１２とケースカバー２の周壁２２および突壁４０とが互いにベース基板１１の表面と平行な方向で対向しているので、棒状または帯状の不正操作部材がケースベース１とケースカバー２との外側からケースベース１とケースカバー２との合わせ部分を経由して収納箱の内部に挿入されづらくなるという利点がある。
【産業上の利用可能性】
【００２４】
図８乃至図１１は、別の形態である。図８は、遊技機の回路基板収納箱を分解して示す。図９および図１０は、収納箱を封印する工程を示す。図１１は、封印された遊技機の回路基板収納箱を示す。この別の形態に係る遊技機の回路基板収納箱と、前述した最良の形態に係る遊技機の回路基板収納箱とにおける構造の違いは、図１のバンド挿入部１６がケースベース１から取り除かれ、図１のバンド挿入部２７；２８がケースカバー２から取り除かれた点であって、結束バンド６の収納箱への掛け方が異なる。また、図１のベース側係合部１５が支持孔１８に代わり軸８を一体に備え、図１のカバー側係合部２６に支持孔３０が上部を切除された下方に弧状に窪むフックとして形成されたことも、最良の形態に係る遊技機の回路基板収納箱と構造が異なる。軸８の両端がベース側係合部１５に結合され、軸８が一対のベース側係合部１５で両持ちに支持される。
【００２５】
図８と図９および図１０を参照し、結束バンド６の収納箱への掛け方について説明する。図８において、結束バンド６の一端部が、ケースカバー２におけるカバー基板２１の上部からバンド挿入部２９、回路基板３のバンド挿入部３７、ケースカバー２のバンド挿入部１７を順に経由してケースベース１の下部に引き出される。そして、このケースベース１の下部に引き出された結束バンド６の一端部と他端部とが、ケースベース１とケースカバー２との外側で、互いに重ね合わされる。つまり、結束バンド６がケースベース１におけるコネクタ３４の位置する部分とケースカバー２におけるコネクタ３４の位置する部分との外側から巻き付けられる。その後、図９に示すように、互いに重ね合わされた結束バンド６の一端部と他端部とが封印具７のバンド通し孔４１に挿入された後、封印具７より突出した互いに重ね合わされた結束バンド６の一端部と他端部とが人によって支持され、封印具７が人によってケースカバー２における膨出部２４の側に近づけられ、ケースベース１におけるコネクタ３４の位置する部分とケースカバー２におけるコネクタ３４の位置する部分との外側から巻き付けられた結束バンド６がケースベース１とケースカバー２とに接触するように、ケースベース１におけるコネクタ３４の位置する部分とケースカバー２におけるコネクタ３４の位置する部分との外側から巻き付けられた結束バンド６の弛みが除去される。その状態において、封印工具の一対のアーム４８で封印具７を挟み付ける。
【００２６】
これによって、図１０に示すように、封印具７におけるＩＣタグ４２の存在しない部分が外側から内部に加熱と加圧を受けて窪んだ封印部４３として形成され、封印具７が互いに重ね合わされた結束バンド６の一端部と他端部とを互いに離れないように結束バンド６の一端部と他端部とに結合されて封印する。つまり、図１１に示すように、内部に回路基板３を装着したケースベース１とケースカバー２とからなる収納箱に外側から巻き付けられた結束バンド６が、ＩＣタグ４２を有する封印具７によって、開放不能に封印される。この別の形態によれば、結束バンド６の使用量が少なくなるという利点がある。内部に回路基板３を装着したケースベース１とケースカバー２とからなる収納箱の一側部が、結束バンド６と封印具７とによって開放不能に封印された場合、カバー側係合部２６におけるフック形状の支持孔３０が、一対のベース側係合部１５で両持ちに支持された軸８と周壁１２との間の隙間に挿入されて軸８に係合しているので、カバー側係合部２６が軸８から取り外されることがなく、結束バンド６または封印具７を切断しなければ、収納箱を開放することができない。
【００２７】
図１２のａ図は、前記と異なる別の形態に係る封印具７を示す。図１２のａ図において、封印具７の一側部が取り除かれ、バンド通し孔４１が一側方にも開口した溝として形成されており、封印具７の結束バンド６への嵌め込み作業を行いやすくしたものである。図１２のｂ図は、さらに異なる別の形態に係る結束バンド６の一端部に封印具７を一体に設けたものを示す。
【００２８】
図示はしないが、封印具７を薬品で溶かされない薬品耐性を有する合成樹脂により形成すれば、薬品で封印具７が溶かされてＩＣタグ４２を取り出せないようになる。アーム４８の封印具７を押す部分に、遊技機の回路基板収納箱を製造販売する人のロゴマークを形成しておけば、封印部４３の偽造をやりにくくすることができるうえ、封印部４３を見ることによって、遊技機の回路基板収納箱の製造販売者を認識することができる。ベース側係合部１５、カバー側係合部２６、軸８からなるヒンジに代えて、ケースベース１に係合部を設け、ケースカバー２に被係合部を設け、係合部と被係合部とを互いに嵌め合わせることによって、ケースベース１とケースカバー２とを開閉可能に連結してもよい。上記ヒンジ、係合部と被係合部とからなる構造のそれぞれを設けずに、止ねじで、ケースベース１とケースカバー２とを開閉不能に締結してもよい。
【００２９】
図１３は、前記と異なる別の形態に係るベース側係合部１５およびカバー側係合部２６を示す。図１３のａ図において、ベース側係合部１５が貫通孔としての支持孔１８を備え、カバー側係合部２６が軸８をカバー側係合部２６の一端から直線的に突出するように一体に備える。そして、軸８がベース側係合部１５の一側から支持孔１８に回転可能に嵌め込まれることによって、図１３のｂ図に示すように、ケースベース１とケースカバー２とが回転可能に連結される。図１３のｂ図に示すように、ベース側係合部１５とカバー側係合部２６とが互いに連結され、内部に図１の回路基板３を装着したケースベース１とケースカバー２とからなる収納箱が、図１または図８に示す結束バンド６および封印具７で開閉不能に封印された場合、軸８が支持孔１８から抜けなくなるので、結束バンド６または封印具７を切断しなければ、収納箱を開放することができない。図示は省略するが、軸８をベース側係合部１５に設け、支持孔１８に相当する支持孔をカバー側係合部２６に設けてもよい。
【図面の簡単な説明】
【００３０】
【図１】遊技機の回路基板収納箱を示す分解斜視図（最良の形態）。
【図２】封印工程を示す断面図（最良の形態）。
【図３】封印工程を示す断面図（最良の形態）。
【図４】封印工程を示す断面図（最良の形態）。
【図５】封印工程を示す断面図（最良の形態）。
【図６】封印工程を示す断面図（最良の形態）。
【図７】封印された遊技機の回路基板収納箱を示す斜視図（最良の形態）。
【図８】遊技機の回路基板収納箱を示す分解斜視図（別の形態）。
【図９】封印工程を示す断面図（別の形態）。
【図１０】封印工程を示す断面図（別の形態）。
【図１１】封印された遊技機の回路基板収納箱を示す斜視図（別の形態）。
【図１２】ａ図は封印具の斜視図、ｂ図は封印具と結束バンドとの一体となったものを示す斜視図（別の形態）。
【図１３】ａ図は係合構造の分解側面図、ｂ図は係合構造の組立側面図（別の形態）。
【符号の説明】
【００３１】
１    ケースベース
２    ケースカバー
３    回路基板
６    結束バンド
７    封印具
１６  バンド挿入部
１７  バンド挿入部
２７  バンド挿入部
２８  バンド挿入部
２９  バンド挿入部
３７  バンド挿入部
４２  ＩＣタグ
【図１】
2006130156.tif 000003
【図２】
2006130156.tif 000004
【図３】
2006130156.tif 000005
【図４】
2006130156.tif 000006
【図５】
2006130156.tif 000007
【図６】
2006130156.tif 000008
【図７】
2006130156.tif 000009
【図８】
2006130156.tif 000010
【図９】
2006130156.tif 000011
【図１０】
2006130156.tif 000012
【図１１】
2006130156.tif 000013
【図１２】
2006130156.tif 000014
【図１３】
2006130156.tif 000015